(57)【特許請求の範囲】
【請求項１】
有底筒状に形成され、ボトル軸を中心として断面円形状に形成された胴部を有するボトルであって、
前記胴部には、径方向内方に凹む周溝が形成され、
前記周溝内には、
前記ボトル軸を径方向に挟んで対向するように配設され、径方向内方に向けてさらに凹んだ少なくとも一対の指当て用凹部と、
前記指当て用凹部間に配設された滑り止め用リブと、が形成され、
前記滑り止め用リブは、前記ボトル軸方向に延在すると共に周方向に沿って並んだ複数の縦リブを有し、
前記縦リブは、前記周溝の最深部よりも径方向内方に凹んだ凹部底面から、径方向外方に向かって立設されていることを特徴とするボトル。
【請求項２】
請求項１に記載のボトルであって、
前記周溝は、前記胴部の全周に亘って延在していることを特徴とするボトル。
【発明の詳細な説明】
【技術分野】
【０００１】
本発明は、ボトルに関するものである。
【背景技術】
【０００２】
ペットボトルに代表されるような合成樹脂製のボトルは、軽量で取り扱いが容易であること、透明性を確保しつつガラス製の容器に比較して遜色のない外観を呈すること等から、主に飲料用の容器として多用されている。
この種のボトルは、様々なものが提供されているが、その１つとして持ち易さの向上を図るために胴部がくびれたものが知られている。
【先行技術文献】
【特許文献】
【０００３】
【特許文献１】実開平０２−４８５１０号公報
【発明の概要】
【発明が解決しようとする課題】
【０００４】
しかしながら、上記従来の胴部がくびれたボトルは、持ち易い構造とされているが、十分なグリップ性を確保できているとはいえず、持ち上げ時にボトルが手の中で滑る可能性があった。飲料や調味料等が収容される比較的大型の内容量（１．５Ｌ〜２．７Ｌ等）のボトルにおいては重量があるので、特に手の中で滑る可能性が高かった。このように、従来のボトルには、グリップ性の点で依然として改良の余地が残されている。
【０００５】
本発明は、このような事情に鑑みてなされたものであって、その目的は、フィット性に優れて把持し易く、安定した持ち運びを行うことができるボトルを提供することである。
【課題を解決するための手段】
【０００６】
上記の目的を達成するために、この発明は以下の手段を提供している。
（１）本発明に係るボトルは、有底筒状に形成され、ボトル軸を中心として断面円形状に形成された胴部を有するボトルであって、前記胴部には、径方向内方に凹む周溝が形成され、前記周溝内には、前記ボトル軸を径方向に挟んで対向するように配設され、径方向内方に向けてさらに凹んだ少なくとも一対の指当て用凹部と、前記指当て用凹部間に配設された滑り止め用リブと、が形成され、前記滑り止め用リブは、前記ボトル軸方向に延在すると共に周方向に沿って並んだ複数の縦リブを有し、前記縦リブは、前記周溝の最深部よりも径方向内方に凹んだ凹部底面から、径方向外方に向かって立設されていることを特徴とする。
【０００７】
本発明に係るボトルにおいては、胴部に一対の指当て用凹部が形成されているので、例えば、一方の指当て用凹部に人差し指、或いは、中指を引っ掛け、他方の指当て用凹部に親指を引っ掛けるようにしてボトルを把持することができる。しかも、これら指当て用凹部は周溝内に形成されているので、ボトルを把持した際に、人差し指及び親指の側部やその間の付け根部分を、周溝に沿って引っ掛けるようにフィットさせることができる。特に、人差し指から付け根部分を経由して親指に至る手の形は、ボトルを把持する際に略円弧状になるのが自然である。よって、断面円形状の胴部に形成された周溝に沿って良好にフィットし易い。
このように、フィット性に優れて把持し易いので、持ち上げたときにボトルが手の中で滑り難い。よって、安定した持ち運びを行うことができる
【０００８】
しかも、周溝内には指当て用凹部間に位置するように滑り止め用リブが形成されている。よって、ボトルを把持した際に、人差し指の側部や、親指の側部や、その間の付け根部分等が、滑り止め用リブに接触する。そのため、ボトルをより安定して把持することができる。
また、ボトルを把持したまま水平に持ち運びしたり、内容物の注出時にボトルを傾けたりした場合、仮に指先が指当て用凹部から外れかかってしまったとしても、滑り止め用リブによって滑り止めされ、周溝に沿って指先がそれ以上滑ってしまうことを抑制することができる。従って、この点においても安定した持ち運びや注出動作を行うことができる。
さらに、本発明に係るボトルにおいては、ボトルを把持したまま水平に持ち運びしたり、内容物の注出時にボトルを傾けたりした場合、複数の縦リブが抵抗となるので、指先が周溝に沿ってより移動し難い。従って、指先の滑り止め効果をより発揮させることができ、より安定した持ち運び及び注出動作を行うことができる。
【０００９】
（２）本発明に係るボトルは、上記本発明のボトルであって、前記周溝が、前記胴部の全周に亘って延在していることを特徴とする。
【００１０】
本発明に係るボトルにおいては、周溝の位置を気にすることなくボトルを把持することができるので、使い易い。
【発明の効果】
【００１３】
本発明に係るボトルによれば、フィット性に優れて把持し易く、安定した持ち運び及び注出動作を行うことができる。
【図面の簡単な説明】
【００１４】
【図１】本発明の実施形態のボトルの正面図である。
【図２】図１に示すボトルを矢印Ａ方向から見た側面図である。
【図３】図１に示すボトルの上面図である。
【図４】図１に示すボトルのＢ−Ｂ線に沿った断面図である。
【発明を実施するための形態】
【００１５】
以下、本発明に係るボトルの実施形態について、図１から図４を参照して説明する。
本実施形態のボトル１は、図１から図３に示すように、ボトル軸Ｏに沿って口部２、肩部３、胴部４及び底部５が、ポリエチレンテレフタレート（ＰＥＴ）等の合成樹脂により一体的に連続して形成された平面視丸型のボトルである。
【００１６】
なお、図１は、ボトル１の正面図である。図２は、図１に示すボトル１を矢印Ａ方向から見た側面図である。図３は、図１に示すボトル１の上面図である。また、ボトル軸Ｏに沿って口部２側を上側、底部５側を下側とする。
【００１７】
胴部４は、底部５の上方に連設されており、ボトル軸Ｏを中心に断面円形状に形成された部分である。この胴部４については、後に詳細に説明する。肩部３は、胴部４の上端部から上方に向けて漸次縮径するように連設された部分である。口部２は、肩部３の上端部から上方に向けて延在するように連設され、ボトル１内に充填される図示しない内容物を注ぐ際の注ぎ口となる部分である。
なお、この口部２には、図示しないキャップが嵌合する嵌合突起２ａが外周面に形成されている。但し、嵌合突起２ａに限定されるものではなく、キャップが螺着される雄ねじ部が形成されていても構わない。
【００１８】
上記胴部４は、上述したようにボトル軸Ｏを中心に断面円形状に形成されており、その中央部には、胴部４の周方向に沿って延在すると共に径方向内方に凹み形成された環状の周溝１０が形成されている。よって、胴部４は、この周溝１０を境として、上方側に位置する第１胴部４Ａと下方側に位置する第２胴部４Ｂとに分かれた形となっている。なお、周溝１０の溝幅としては、人差し指等の指先の指幅よりも大きな幅となるようにすることが好ましい。
【００１９】
第１胴部４Ａには、径方向内方に凹んだ複数の凹面パネル１１がボトル軸Ｏ回りに間隔を開けて複数形成されている。本実施形態では、５枚の凹面パネル１１が、ボトル軸Ｏ回りに形成されている。但し、凹面パネル１１の数は、５枚に限定されるものではない。また、周方向に隣接する凹面パネル１１の間の部分は、外方に向けて凸状に膨らんだ縦リブ１２とされている。
このように、第１胴部４Ａには複数の凹面パネル１１及び縦リブ１２が形成されているので、内圧変化を凹面パネル１１で吸収することで、径方向への不正変形（例えば、断面楕円状や断面三角形状に変形）が生じ難い構造とされている。
【００２０】
一方、第２胴部４Ｂには、環状補強リブ１３が複数形成されている。これら環状補強リブ１３は、いずれも外周面に沿って一周に亘り径方向内方に凹み形成された溝であり、第２胴部４Ｂが径方向に不正変形することを抑える役割を担っている。
このように、第１胴部４Ａ及び第２胴部４Ｂのいずれも径方向に不正変形し難い構造とされているので、減圧時（容器内圧の低下時）やボトル１を把持した際に、胴部４の不正変形を防止して品質を維持し易い。
【００２１】
ところで、図１、図２及び図４に示すように、周溝１０内には、複数の指当て用凹部２０及び滑り止め用リブ２１がそれぞれ形成されている。なお、図４は、図１に示すボトル１のＢ−Ｂ線に沿った断面図である。
指当て用凹部２０は、周溝１０の最深部よりもさらに径方向内方に凹んだ平面視円形状の窪みであり、ボトル軸Ｏを径方向に挟んで対向して対をなすように配設されている。本実施形態では、２組の対をなすように、ボトル軸Ｏを中心に周方向に９０度毎に４つ形成されている。
なお、この指当て用凹部２０の開口サイズは、１本の指先が入り込むサイズとすることが好ましい。また、指当て用凹部２０の深さは、指先の先端部（第１関節よりも先の部分）が十分に入り込んで引っ掛かる深さとすることが好ましい。
【００２２】
滑り止め用リブ２１は、指当て用凹部２０間に位置するように配設されている。本実施形態の滑り止め用リブ２１は、ボトル軸Ｏ方向に延在した凸状の２つの縦リブ２１ａを有しており、この縦リブ２１ａが周方向に沿って並ぶように形成されている。
また、前記縦リブ２１ａは、周溝１０の最深部（底面）よりも径方向内方に凹んだ凹部底面から、径方向外方に向かって立設されている。但し、前記凹部を形成せず、周溝１０の最深部から縦リブ２１ａを立設しても良い。
なお、周溝１０は、指当て用凹部２０及び滑り止め用リブ２１によって剛性強化が図られているので、座屈等の不正変形が生じ難い設計とされている。よって、胴部４に環状の周溝２０が形成されていたとしても、ボトル１の座屈強度の低下を抑制することができる。
【００２３】
次に、このように構成されたボトル１を使用する場合について、以下に説明する。
まず、本実施形態のボトル１では、胴部４に一対の指当て用凹部２０が形成されているので、例えば、一方の指当て用凹部２０に人差し指又は中指を引っ掛け、他方の指当て用凹部２０に親指を引っ掛けるようにしてボトル１を把持することができる。しかも、これら指当て用凹部２０は、胴部４の周方向に沿って延在した周溝１０内に形成されているので、ボトル１を把持した際に、人差し指、中指及び親指の側部やその間の付け根部分を、周溝１０に沿って引っ掛けるようにフィットさせることができる。
【００２４】
特に、人差し指及び中指から付け根部分を経由して親指に至る手の形は、ボトル１を把持する際に略円弧状になるのが自然である。よって、断面円形状の胴部４に形成された周溝１０に沿って良好にフィットし易い。
このように、フィット性に優れて把持し易いので、持ち上げたときにボトル１が手の中で滑り難い。よって、安定した持ち運びを行うことができる。
【００２５】
しかも、周溝１０内には、指当て用凹部２０間に位置するように滑り止め用リブ２１が形成されている。よって、ボトル１を把持した際に、人差し指、中指の側部や、親指の側部や、その間の付け根部分等が、滑り止め用リブ２１に接触する。そのため、ボトル１をより安定して把持することができる。
また、ボトル１を把持したまま水平に持ち運びしたり、図示しない内容物の注出時にボトル１を傾けたりした場合、仮に指先が指当て用凹部２０から外れかかったとしても、滑り止め用リブ２１によって滑り止めされ、周溝１０に沿って指先がそれ以上滑ってしまうことを抑制することができる。従って、この点においても安定した持ち運び及び注出動作を行える。
【００２６】
上述したように、本実施形態のボトル１によれば、フィット性に優れて把持し易く、安定した持ち運びを行うことができる。従って、充填容量が大容量タイプのボトル１に適用しても、持ち運び及び注出動作に優れている。
【００２７】
なお、本発明の技術範囲は、上記実施形態に限定されるものではなく、本発明の趣旨を逸脱しない範囲において、種々の変更を加えることが可能である。
【００２８】
例えば、本実施形態のボトル１は、ＰＥＴ等の熱可塑性樹脂を二軸延伸ブロー成形によって成形できるが、その製造方法は特に限定されるのではない。また、充填容量は、特定の量に限定されるものではない。例えば、１リットルや０．５リットル等の容量でも構わない。
【００２９】
また、上記実施形態では、周溝１０を環状に形成した場合を例に挙げたが、周方向に延在していれば環状でなくても構わない。但し、周溝１０を環状に形成することで、周溝１０の位置を気にすることなくボトル１を把持できるので、使い易い。
【００３０】
また、上記実施形態では、指当て用凹部２０を２組の対をなすように４つ形成したが、４つに限定されるものではなく、２つでも構わないし、４つより数の多い偶数個（例えば、６つ）形成しても構わない。いずれにしても、ボトル軸Ｏを挟んで対向するように少なくとも２つ（一対）形成されていれば構わない。
【００３１】
また、上記実施形態では、滑り止め用リブ２１として、凸状の縦リブ２１ａを周方向に２つ並べた構成としたが、３つ以上並ぶように構成しても構わない。
また、横リブを利用して滑り止め用リブ２１を形成しても構わない。但し、縦リブ２１ａとすることで、ボトル１を把持したまま持ち運びしたり、内容物の注出時にボトル１を傾けたりした場合、縦リブ２１ａが抵抗となるので、指先が周方向に沿って移動し難い。よって、指先の滑り止め効果をより発揮させることができ、より安定した持ち運び及び注出動作を行うことができる。
【符号の説明】
【００３２】
Ｏ…ボトル軸
１…ボトル
４…胴部
１０…周溝
２０…指当て用凹部
２１…滑り止め用リブ
２１ａ…縦リブ
【図１】
0005470013.tif 000002
【図２】
0005470013.tif 000003
【図３】
0005470013.tif 000004
【図４】
0005470013.tif 000005